(57)【要約】 【課題】本発明は横方向から多数積重した食器の供給が行え、食器の取り剥がし作業が確実で且つ高能率化し、更に汚れた食器の供給から洗浄までを一貫させて自動化することも可能となると共に食器の大きさに応じて対応出来る洗浄用食器自動供給装置を提供することを目的とする。      【解決手段】落下口に配置した受板２が長さ調節可能であり、該受板２の軸支側端部の上面に食器８の外周に接触する押出用の突起部３を設け、受板２がレバー612を用いて強制的に傾斜させる構造とする。また受板２が、受板本体21と、該受板本体21から突出し且つ出入可能に設けた長さ調節板22とから成し、食器サイズ調節手段５を備え、その構造を、長さ調節板22の端部を水平移動可能に軸支する調節板軸支部材51と、該調節板軸支部材51を水平移動可能に案内する案内枠体52と、調節板軸支部材51の端部と一端を固定すると共に他端を螺合させる長さ調節用の蝶ネジ53とから成す。【選択図】図１
2005280947.tif 000002
【特許請求の範囲】
【請求項１】
合成樹脂製の丼や皿等の食器（８）が使用された後、積重して一定数量にまとめ、その食器（８）を１つずつ取り剥がして食器洗浄機へ搬送するための搬出用コンベア（７）の上に乗せるものであり、枠体（１）の中間部に落下口（11）を設け、その落下口（11）には、前記搬出用コンベア（７）側下方へ傾斜可能で且つ長さ調節可能な受板（２）を配置し、該受板（２）の軸支側端部の上面に押出用の突起部（３）を設け、前記搬出用コンベア（７）側に一対の分離用羽根車（４）を配置させ、前記受板（２）と前記分離用羽根車（４）が駆動されるための駆動手段（６）を少なくとも備えたことを特徴とする洗浄用食器自動供給装置。
【請求項２】
前記受板（２）が、受板本体（21）と、該受板本体（21）から突出し且つ出入可能に設けた長さ調節板（22）とから成され、該長さ調節板（22）を出入して食器（８）の大きさに対応させるための食器サイズ調節手段（５）が備えられ、且つその食器サイズ調節手段（５）が、前記長さ調節板（22）の端部を水平移動可能に軸支させる調節板軸支部材（51）と、該調節板軸支部材（51）を水平移動可能に案内する案内枠体（52）と、前記調節板軸支部材（51）の端部に一端を固定すると共に他端側を螺合させる長さ調節用の蝶ネジ（53）とから成された請求項１記載の洗浄用食器自動供給装置。
【請求項３】
前記突起部（３）が、食器（８）の鍔と略同じ高さで且つ食器（８）の外周に接触する請求項１記載の洗浄用食器自動供給装置。
【請求項４】
前記分離用羽根車（４）が、羽根車（41）と、該羽根車（41）に挿入して取付けた羽根車軸（42）とから成されると共に該羽根車（41）の下部に、食器（８）の鍔が入る高さを確保した段部（41a）が設けられ、且つ前記羽根車軸（42）に対して、前記羽根車（41）が上下移動可能に取付けられ、該羽根車（41）と前記羽根車軸（42）の間にバネ（43）が装着されて前記羽根車（41）を下方に付勢させて配置した請求項１記載の洗浄用食器自動供給装置。
【請求項５】
前記駆動手段（６）が、受板用駆動機構（61）と、羽根車用駆動機構（62）と、駆動モーター（63）とから成され、前記受板用駆動機構（61）が、前記受板（２）に一端を軸支すると共に他端をレバー（612）に軸支した一対の作動杆（611）と、前記レバー（612）の他端に固定する一対の水平軸（613）と、該水平軸（613）の他端に固定する一対の傘歯車（614）と、その一対の傘歯車（614）に噛合する傘歯車（615）と、該傘歯車（615）に下端を固定した垂直軸（616）と、該垂直軸（616）の上端に固定したスプロケット（617）と、前記駆動モーター（63）の駆動軸の下端に取付けた駆動用スプロケット（619）を介して駆動力を伝達するためのチェーン（618）とから構成され、且つ、前記羽根車用駆動機構（62）が、分離用羽根車（４）に固着させた羽根車軸（42）の各上端に固定する歯車（621）と、各歯車（621）を連結させるための連結用チェーン（622）と、前記歯車（621）の一方の上端に更に固定する上部歯車（623）と、前記駆動モーター（63）の駆動用スプロケット（619）よりも上方に取付けた上部スプロケット（625）を介して駆動力が伝達される駆動用チェーン（624）とから構成された請求項１記載の洗浄用食器自動供給装置。
【発明の詳細な説明】
【技術分野】
【０００１】
本発明は学校給食や会社などの食堂或いはセルフサービスで利用客が多い食堂等に於いて、使用されて汚れた合成樹脂製の丼や皿等の食器を積重させてまとめ、それを一つずつ取り剥がして自動食器洗浄機へ搬送するコンベア上に落下させるための洗浄機用食器自動供給装置に関する。
【背景技術】
【０００２】
従来の洗浄用食器自動供給装置は、落下口が開口された機体の上に、一部を切欠いた上下２段の分離用の羽根車を落下口周囲へ４箇所或いは３箇所取付けた構造のものであり、これを用いる場合には、積重した食器を逆さにさせ、それを作業者が羽根車の上から挿入する。挿入後、上の羽根車で２枚目より上の食器を受け止め、下の羽根車に乗っている食器は切欠いた部分から落下口を通過して落ち、搬出用コンベア上に乗せるものであった。そして、上の羽根車に乗っている食器は切欠いた部分に来ると下の羽根車に落ち、２枚目より上の食器は上の羽根車で受け止められる。この動作を繰返して１つずつ食器が取り剥がされ、食器洗浄機へ搬送するための搬出用コンベアに供給していた。また積重した食器が少なくなると、作業者が羽根車の上から食器を挿入し追加していた。しかしながら、前記洗浄用食器自動供給装置は、４本或いは３本の羽根車が全て固定位置で回転されると共に食器の位置決め用ガイド棒も固定されているので、上方からの供給しか行えず、搬入コンベア等が利用されて横方向から食器を供給することは不可能であった。又、上方にはモーターや駆動機構が設置されているため、上方から自動供給させる際、それらの装置が邪魔になって自動化することが出来なかった。尚、横方向からの供給が行えるようにさせる際、落下口があるので、この落下口から落下しないように食器を受け止めて支持させることは困難であった。  
【０００３】
このため、本発明者が特願２００１−２１９５８４に於いて、横方向から食器を供給することが可能になる洗浄用食器自動供給装置を提案したところである。この構造は、搬入用コンベアの上面よりも若干低く配置すると共に下方に配置されたカムを介して傾斜可能に一辺側が軸支された受板と、搬出用コンベア側に配置した一対の分離用羽根車と、搬入用コンベア側に配置した位置決め手段と、前記カムと分離用羽根車が駆動されるための駆動手段とから構成したものであった。
【特許文献１】特願２００１−２１９５８４号公報
【発明の開示】
【発明が解決しようとする課題】
【０００４】
しかしながら、特願２００１−２１９５８４は、食器が例えば10枚以上積重されると、食器の重量によって位置決め手段の押え棒を押し広げてしまうため、食器を1つだけに分離して落下する際に、全体が傾いてしまい、分離が出来なくなる事故が生じる恐れがあると共に食器が落下しないと受板が完全に傾斜しない場合もあった。この原因は、位置決め手段の押え棒の開閉強さがレバーに装着したバネの強さによって決定されているが、バネを強くすると、搬入コンベアから運ばれてくる積重された食器がその搬送力によって押え棒が押し開かれるためには、大きな力が必要になり、積重された食器の搬送力だけでは押え棒が開かれてその押え棒を通過させることができなくなってしまう。一方、バネを弱くすると、押え棒の押圧力が弱くなり、積重された食器の外周が押さえ切れなくなって、積重された食器全体が傾斜され、分離時に1つの食器だけに分離できなくなる。このため、バネの強さとしては、適宜量例えば10枚の食器がスムーズに搬入されて分離が行えるようにバネの強さが調整されているのが現状である。更に受板の傾斜はその下面と接触するカムが支えているだけであるため、受板の上面に重量が加わらないと傾斜不良を起こす恐れが生じていた。しかも特願２００１−２１９５８４は、食器の大きさが変わるとその大きさに応じて対応出来ないため、食堂等で利用する食器の大きさが限定されているのが現状である。
【０００５】
本発明は横方向から多数積重した食器の供給が行え、食器の取り剥がし作業が確実で且つ高能率化すると共に汚れた食器の供給から洗浄までを一貫させて自動化することも可能となる洗浄用食器自動供給装置を提供することを目的とする
【０００６】
本発明の他の目的は食器の大きさに応じて対応出来る洗浄用食器自動供給装置を提供するにある。
【課題を解決するための手段】
【０００７】
本発明は上記現状に鑑みて成されたものであり、つまり、特願２００１−２１９５８４の洗浄用食器自動供給装置に対して、落下口に配置した受板が、長さ調節可能であり、該受板の軸支側端部の上面に、食器の鍔と略同じ高さで且つ食器の外周に接触する押出用の突起部を設ける一方、位置決め手段を省くと共に受板の駆動を、カムの代わりにレバーを用いて受板を強制的に傾斜させる構造とする。また前記受板としては、受板本体と、該受板本体から突出し且つ出入可能に設けた長さ調節板とから成し、該長さ調節板を出入して食器の大きさに対応させるための食器サイズ調節手段を備えると良く、その食器サイズ調節手段として、長さ調節板の端部を水平移動可能に軸支させる調節板軸支部材と、該調節板軸支部材を水平移動可能に案内する案内枠体と、調節板軸支部材の端部に一端を固定すると共に他端を螺合させる長さ調節用の蝶ネジとから成すと良い。また分離用羽根車を羽根車と該羽根車に挿入して取付けた羽根車軸から成すと共に羽根車の下部に、食器の鍔が入る高さを確保した段部を設けると良く、且つ羽根車軸に対して、羽根車が上下移動可能に取付けられ、該羽根車と羽根車軸の間にバネが装着されて羽根車を下方に付勢させたものとすると良い。
【発明の効果】
【０００８】
請求項１のように枠体（１）の中間部に落下口（11）を設け、その落下口（11）には、搬出用コンベア（７）側下方へ傾斜可能で且つ長さ調節可能な受板（２）を配置し、該受板（２）の軸支側端部の上面に押出用の突起部（３）を設け、搬出用コンベア（７）側に一対の分離用羽根車（４）を配置させ、受板（２）と分離用羽根車（４）が駆動されるための駆動手段（６）を少なくとも備えることにより、横方向から高く積重した食器（８）の供給が行え、食器（８）の取り剥がし作業が確実で且つ高能率化するため、より高く積重した食器（８）を大量に供給することができ、その供給するための人手が長時間に渡って不要となり、経済的な装置となると共に構造が簡略化されるコンパクトな装置になる。また多量の汚れた食器（８）の供給から洗浄までを一貫させて自動化することも可能となる。更に食器（８）が受板（２）上を滑り落ちて行くため、食器（８）の破損が極めて少なくなり、瀬戸物の食器（８）の供給が充分に可能なものとなる。また枠体（１）の下方に従来の如きカムなどの機構が不要となるため、スッキリしたものとなり、汚れが下方に落ちるので、清掃が容易なものとなる。
【０００９】
請求項２のように受板（２）として、受板本体（21）と、該受板本体（21）から突出し且つ出入可能に設けた長さ調節板（22）とから成し、該長さ調節板（22）を出入して食器（８）の大きさに対応させるための食器サイズ調節手段（５）が備えられ、且つその食器サイズ調節手段（５）が、前記長さ調節板（22）の端部を水平移動可能に軸支させる調節板軸支部材（51）と、該調節板軸支部材（51）を水平移動可能に案内する案内枠体（52）と、調節板軸支部材（51）の端部と一端を固定すると共に他端を螺合させる長さ調節用の蝶ネジ（53）とから成されることにより、食器（８）の各大きさに応じて対応出来る洗浄用食器自動供給装置となるので、多種類の食器（８）が使用でき、特には会社などの食堂或いはセルフサービスの食堂の利用客に、見た目のより良い盛り付けの食事の提供が可能となる。また本発明は構造がより簡単となり、且つその操作は蝶ネジ（53）が回動されて食器（８）の各大きさに応じた位置に押出用の突起部（３）を前後移動するだけで、食器（８）の大きさに対応出来るものとなる。
【００１０】
請求項３に示すように突起部（３）として、食器（８）の鍔と略同じ高さで且つ食器（８）の外周に接触されるように配置することにより、食器（８）の押出し機能を有するものとなるため、分離機能が確実に行えるものとなる。
【００１１】
請求項４に示すように分離用羽根車（４）が、羽根車（41）と、該羽根車（41）に挿入し取付けた羽根車軸（42）とから成すと共に羽根車（41）の下部に、食器（８）の鍔が入る高さを確保した段部（41a）が設けられ、且つ羽根車軸（42）に対して、羽根車（41）が上下移動可能に取付けられ、該羽根車（41）と羽根車軸（42）の間にバネ（43）が装着されて羽根車（41）を下方に付勢させて配置することにより、羽根車（41）が受板（２）の表面に接触して一定隙間が確保されるため、分離機能がより確実に行えるものとなる。
【００１２】
請求項５のように駆動手段（６）として、受板用駆動機構（61）と、羽根車用駆動機構（62）と、駆動モーター（63）とから成し、受板用駆動機構（61）が、受板（２）に一端を軸支すると共に他端をレバー（612）に軸支した一対の作動杆（611）と、レバー（612）の他端に固定する一対の水平軸（613）と、該水平軸（613）の他端に固定する一対の傘歯車（614）と、その一対の傘歯車（614）に噛合する傘歯車（615）と、該傘歯車（615）に下端を固定した垂直軸（616）と、該垂直軸（616）の上端に固定したスプロケット（617）と、駆動モーター（63）の駆動軸の下端に取付けた駆動用スプロケット（619）を介して駆動力を伝達するためのチェーン（618）とから構成し、且つ、羽根車用駆動機構（62）が、分離用羽根車（４）に固着させた羽根車軸（42）の各上端に固定する歯車（621）と、各歯車（621）を連結させるための連結用チェーン（622）と、歯車（621）の一方の上端に更に固定する上部歯車（623）と、駆動モーター（63）の駆動用スプロケット（619）よりも上方に取付けた上部スプロケット（625）を介して駆動力を伝達するための駆動用チェーン（624）とから構成することにより、受板（２）と分離用羽根車（４）が１つの駆動モーター（63）で駆動されるため、食器（８）の取り剥がしタイミングと、受板（２）の開口のタイミングがずれることなく簡単にそのタイミングが一致するものとなり、且つ構造が簡単であるため保守点検が容易なものとなる。特に本発明装置を複数列のものにしても、受板用駆動機構（61）は１つで済む。つまり枠体（１）の両側に作動杆（611）を配置して複数の受板（２）が同時に作動するようにすることが可能となる。
【発明を実施するための最良の形態】
【００１３】
図１、図２は本発明の実施形態を示す図であり、これに基づいて説明する。（１）はステンレスなどの金属製の枠体であり、該枠体（１）の中間部に落下口（11）が設けられている（図６参照）。（２）は落下口（11）に配置したステンレスなどの金属製の受板であり、該受板（２）は搬出用コンベア（７）側下方へ傾斜可能で且つ長さ調節可能なものである。その構造としては、長方形の受板本体（21）と、該受板本体（21）の下部中央から突出し且つ出入可能に設けた長さ調節板（22）と、前記受板本体（21）の下部に立設して固定すると共に上部中間には前記長さ調節板（22）が出入するための切欠部（23a）が設けられた支持板（23）と、該支持板（23）の両側に固定し且つ後述する作動杆（611）の下端に軸支して連結するための連結穴（24a）を穿設すると共に前記枠体（１）に軸支するための軸支部（24b）を外側に突設した連結杆（24）とから成されている。また前記長さ調節板（22）の一端側には軸受部（22a）が設けられている。尚、前記受板本体（21）と長さ調節板（22）の段差をなくすと共に滑り易くするために、それぞれの表面に四フッ化エチレン樹脂やシリコン樹脂などの滑り板（21a）,(22b)を取付けても良い。（３）は受板（２）の軸支側端部の上面に設けた押出用の突起部であり、該突起部（３）は食器（８）の鍔よりも若干高め或いは略同一の高さで且つ食器（８）の外周に接触し、受板（２）の傾斜時に突起部（３）は一緒に回転する。（４）は搬出用コンベア（７）側に配置させた一対の分離用羽根車であり、該分離用羽根車（４）には、合成樹脂製の羽根車（41）と、該羽根車（41）が上下移動可能に取付けられる羽根車軸（42）と、前記羽根車（41）と羽根車軸（42）の間に装着させるバネ（43）とがある。また前記羽根車（41）の下部には、食器（８）の鍔が入る高さを確保するための段部（41a）が設けられ、且つ前記羽根車（41）には前記羽根車軸（42）の下部が挿入され、且つワッシャを介してネジによって取付けられている。更に前記羽根車（41）はバネ（43）によって下方へ付勢されている（図３参照）。
【００１４】
（５）は長さ調節板（22）を出入して食器（８）の大きさに対応させるために備えた食器サイズ調節手段であり、該食器サイズ調節手段（５）としては、長さ調節板（22）の端部が水平移動可能に軸支される調節板軸支部材（51）と、該調節板軸支部材（51）を水平移動可能に案内する案内枠体（52）と、前記調節板軸支部材（51）の端部に一端を固定すると共に他端側を前記案内枠体（52）の端部に螺合させる長さ調節用の蝶ネジ（53）と、前記長さ調節板（22）を調節板軸支部材（51）に軸支させるためのピン（54）とから成されている。また前記調節板軸支部材（51）の端部中央には前記案内枠体（52）を入れるための切欠部（51a）が設けられており、その両側には長穴（51b）が穿設され、且つ前記調節板軸支部材（51）の両側には突起（51c）が突設されている。又、前記案内枠体（52）の内側両面には前記突起（51c）が挿入される溝（52a）が設けられている。前記ピン（54）は前記長穴（51b）から挿入して受板（２）の軸受部（22a）を貫通し、更に反対側の長穴（51b）に到達する。尚、前記調節板軸支部材（51）の案内方法は、前記突起（51c）と溝（52a）による構造以外の他の方法でも良い。また前記長穴（51b）は普通の丸穴としても良い。
【００１５】
（６）は受板（２）と分離用羽根車（４）が駆動されるための駆動手段であり、該駆動手段（６）には、受板用駆動機構（61）と、羽根車用駆動機構（62）と、駆動モーター（63）とがある。前記受板用駆動機構（61）としては、受板（２）に一端を軸支すると共に他端をレバー（612）に軸支した一対の作動杆（611）と、前記レバー（612）の他端に固定する一対の水平軸（613）と、該水平軸（613）の他端に固定する一対の傘歯車（614）と、その一対の傘歯車（614）に噛合する傘歯車（615）と、該傘歯車（615）に下端を固定した垂直軸（616）と、該垂直軸（616）の上端に固定したスプロケット（617）と、前記駆動モーター（63）の駆動軸の下端に取付けた駆動用スプロケット（619）を介して駆動力を伝達するためのチェーン（618）とから構成され、且つ、前記羽根車用駆動機構（62）が、分離用羽根車（４）に固着させた羽根車軸（42）の各上端に固定する歯車（621）と、各歯車（621）を連結させるための連結用チェーン（622）と、前記歯車（621）の一方の上端に更に固定する上部歯車（623）と、前記駆動モーター（63）の駆動用スプロケット（619）よりも上方に取付けた上部スプロケット（625）を介して駆動力を伝達するための駆動用チェーン（624）とから構成されている。
【００１６】
次に本発明の作用を図５に基づいて説明する。予め食器（８）の大きさに合せて受板（２）の大きさをセットしておく。この場合には、先ず食器（８）を分離用羽根車（４）の羽根車軸（42）に当接させる。そして蝶ネジ（53）を回転させ、突起部（３）の位置が、食器（８）の外周と若干隙間が開く位置にセットすれば良い。先ず始めに予め逆さにして大山に積重した図中の２点鎖線の食器（８）を図示しない搬入用コンベアで図中の矢印のように水平方向へ搬送させて、受板（２）の上部位置まで搬入させる。この時、食器（８）の最下段は突起部（３）よりも奥（右側）へ送られると、最下段の食器（８）の鍔が突起部（３）の右側へ入り込むため、以前の位置決め手段の役目も果たすものとなる［図５（ａ）参照］。尚、位置決め手段の役目は突起部（３）以外に、図示しない搬入用コンベアに突片を取付け、食器（８）の外周を押圧する構造としたものを併用すると良い。その後、駆動手段（６）が作動されて、駆動モーター（63）が回転すると、受板用駆動機構（61）と羽根車用駆動機構（62）が同時に作動される。先ず始めに羽根車用駆動機構（62）の作動について説明する。駆動モーター（63）の回転に伴って、図１に示す右側の羽根車軸（42）には駆動用チェーン（624）によって駆動モーター（63）の回転力が伝達される。これと同時に図中の左側の羽根車軸（42）には連結用チェーン（622）によって同様に駆動モーター（63）の回転力が伝達される。すると一対の分離用羽根車（４）が回転し、切欠部が落下口（11）側に来ると最下段の食器（８）は切欠部から落下して水平状態の受板（２）の上面に落ちる［図５（ｂ）参照］。この時の受板（２）は、食器（８）の右側が受板本体（21）で受け、食器（８）の左側が長さ調節板（22）で受けて若干傾いているが、使用には支障はない。尚、前記長さ調節板（22）は、受板本体（21）の下面と支持板（23）の切欠部（23a）に囲まれた空間に挿入されているため、若干右下に傾く（図４参照）。この長さ調節板（22）の傾きを解消するために、滑り板（21a）,(22b)を図１や図２に示すように受板本体（21）と長さ調節板（22）の表面に取付けても良い。又、この時、最下段の食器（８）の鍔とその上の食器（８）の鍔との間には隙間がある。この隙間に分離用羽根車（４）の羽根車（41）が直ぐに入り込んで上の食器（８）は落下することなく保持される［図５（ｃ）参照］。
【００１７】
次に受板用駆動機構（61）の作動について説明する。前記同様に駆動モーター（63）の回転に伴って、図１に示す駆動モーター（63）の回転力がチェーン（618）とスプロケット（617）を介在させて垂直軸（616）に伝達される。すると垂直軸（616）の下端に固着した傘歯車（615）と一対の傘歯車（614）を介して水平軸（613）が回転される。該水平軸（613）によってレバー（612）が回転するので、作動杆（611）は図４に示す点線矢印のように下方に徐々に下がると共に受板（２）は傾斜されて開口部（11）が開口し始めると、食器（８）は滑り落ちる［図５（ｄ）参照］。この時、食器（８）が落下する際に、突起部（３）は長さ調節板（22）と一緒に図４の左側の矢印のように下方へ回るため、この突起部（３）によって最下段の食器（８）が押出されるのである。従って、食器（８）が10枚以上積重された場合に、特願２００１−２１９５８４に於ける積重された食器（８）全体が例え傾斜しても、本発明では、最下段の食器（８）の鍔だけを突起部（３）によって押出すため、スムーズに最下段の食器（８）は確実に落下されて行くのである。この食器（８）の落下時には、傾斜された受板（２）の上を滑り落ちるので、衝撃力が殆ど食器（８）には加わらないのである。その後、滑り落ちる食器（８）は搬出用コンベア（７）の上に乗り、食器洗浄機側へ搬送される。又、前記受板（２）はレバー（612）の回転によって作動杆（611）が持上げられて元の水平位置に戻されるのである［図５（ｅ）参照］。このようにして最下段の食器（８）が受板（２）から滑り落ちた後は、上記同様に羽根車（41）の上の食器（８）が切欠部に来ると受板（２）の上に落ちて、受板（２）から滑り落ち、搬出用コンベア（７）の上に乗せられて食器（８）が１つずつ搬送されるのである。この動作を繰返して食器（８）は自動食器洗浄機側へ順次供給されるのである。積重した食器（８）が全て滑り落ちてなくなった場合には、図示しないセンサーによって食器（８）が受板（２）の上にないことを検知すると、前記搬入用コンベアによって、大山に積重した食器（８）を受板（２）の所定位置まで搬入するのである［図５（ａ）参照］。
【００１８】
次に受板（２）の動作を図４に基づいて詳細に説明する。先ず作動杆（611）が点線矢印のように下げられると、連結杆（24）は軸支部（24b）を中心に回転する。すると受板本体（21）は連結杆（24）の回転によって強制的に下げられ、その受板本体（21）の動きに伴って長さ調節板（22）の右側が押下げられると共に前記長さ調節板（22）は軸受部（22a）を中心に回転するのである。一方、作動杆（611）が上げられると、連結杆（24）は軸支部（24b）を中心にして受板本体（21）を持上げ、その動きに伴って長さ調節板（22）も押上げられ、且つ軸受部（22a）を中心にして長さ調節板（22）が回転されて元の位置に戻されるのである。尚、本発明の前記羽根車（41）の下部が受板（２）上面から浮いて接触していない場合は、食器（８）の鍔の間に入らず上の鍔に当って食器（８）が２枚落下する恐れがあるため、バネ（43）によって下方へ弾性力が常に付勢され、羽根車（41）の下部が受板（２）上面に接触させると共に食器（８）の鍔が入る高さを確保した段部（41a）が設けられているのである。
【図面の簡単な説明】
【００１９】
【図１】本発明の実施形態の要部を示す説明図である。
【図２】本実施形態の受板と食器サイズ調整手段の要部部品を示す分解部品斜視図である。
【図３】本実施形態の分離用羽根車の要部を示す説明図である。
【図４】本実施形態の受板の動きを示す説明図である。
【図５】本発明の作用を示す説明図である。
【図６】本発明の概要を示す説明図である。
【符号の説明】
【００２０】
１  枠体
11  落下口
２  受板
21  受板本体
22  長さ調節板
３  突起部
４  分離用羽根車
41  羽根車
41a  段部
42  羽根車軸
43  バネ
５  食器サイズ調節手段
51  調節板軸支部材
52  案内枠体
53  蝶ネジ
６  駆動手段
61  受板用駆動機構
611  作動杆
612  レバー
613  水平軸
614,615  傘歯車
616  垂直軸
617  スプロケット
618  チェーン
619  駆動用スプロケット
62  羽根車用駆動機構
621  歯車
622  連結用チェーン
623  上部歯車
624  駆動用チェーン
625  上部スプロケット
63  駆動モーター
７  搬出用コンベア
８  食器
【図１】
2005280947.tif 000003
【図２】
2005280947.tif 000004
【図３】
2005280947.tif 000005
【図４】
2005280947.tif 000006
【図５】
2005280947.tif 000007
【図６】
2005280947.tif 000008